(57)【特許請求の範囲】
【請求項１】
釣竿に装着されるスピニングリールであって、
ハンドルを有し、前記釣竿に装着可能なリール本体と、
前記リール本体の前部に回転自在に支持され、前記ハンドルによって回転させられるロータと、
前記ロータの前方に配置され、外周に釣糸が巻かれるスプールとを備え、
前記ロータは、
ロータ回転軸を挟むように対向して配置された第１アーム部及び第２アーム部と、
前記第１アーム部の内周側に揺動自在に装着され糸案内部を有する第１ベール支持部材と、
前記第２アーム部に揺動自在に装着され、前記第１ベール支持部材の揺動中心より前方に揺動中心を有する第２ベール支持部材と、
前記第１ベール支持部材から第２ベール支持部材にわたって設けられ糸巻取り姿勢と糸解放姿勢とをとり得るベールとを有し、
前記第１及び第２ベール支持部材の揺動中心を結ぶ揺動軸芯は前記回転軸から前記糸解放姿勢のベール側にオフセットされているとともに、前記第１及び第２アーム部のうちの少なくとも第１アーム部のリール本体側の端部は前記揺動軸芯から前記糸巻取り姿勢のベール側にオフセットされており、
前記第１及び第２ベール支持部材は共通の揺動軸を有しており、各ベール支持部材の揺動面は前記揺動軸に対して直交している、
スピニングリール。
【請求項２】
前記第２ベール支持部材は前記第２アーム部の外周側に装着されている、請求項１に記載のスピニングリール。
【請求項３】
前記第１アーム部及び第２アーム部の外周側にはカバーが装着されている、請求項１又は２に記載のスピニングリール。
【請求項４】
前記カバーは、表面が前後方向にかつ円周方向に滑らかに連続する形状である、請求項３に記載のスピニングリール。
【発明の詳細な説明】
【０００１】
【発明が属する技術分野】
本発明は、スピニングリール、特に、ベールを糸巻取り姿勢及び糸解放姿勢にするためのベール支持部材を備えたスピニングリールに関する。
【０００２】
【従来の技術】
一般にスピニングリールは、リール本体と、リール本体に回転自在に支持されたロータと、釣糸が巻かれるスプールとを有している。ロータは、回転軸を挟むように対向して配置された第１アーム部及び第２アーム部と、各アーム部の先端に揺動自在に装着されたベール支持部材と、両ベール支持部材間に設けられたベールとを有している。このベールは、両ベール支持部材とともに揺動し糸開放姿勢と糸巻取り姿勢とをとり得る。また、一方のベール支持部材の先端には、釣糸を案内するラインローラが設けられている。
【０００３】
このようなスピニングリールでは、キャスティング時にはベールが糸開放姿勢に倒される。そして、キャスティング後に釣糸を巻き取る場合には、ベールを糸巻取り姿勢側に戻す。ベールが糸巻き取り姿勢の状態でハンドルを回すと、釣糸は、ベールの取付け端に位置するラインローラに案内されてスプール外周に巻き取られる。
【０００４】
【発明が解決しようとする課題】
前記のようなスピニングリールでは、ベール支持部材は各アーム部の外周側に装着されている。このような構成では、ロータの回転時に、アームに装着されたベール支持部材が釣竿を持つ手に接触しないように、ロータと釣竿との間に大きなスペースが必要である。しかし、ロータを釣竿から離して配置すると、ハンドル位置と釣竿との間の距離が大きくなり、ハンドル操作時に釣竿に作用するモーメントが大きくなる。また、ラインローラが装着された側のベール支持部材の回転半径が大きいと回転時のバランスが取りにくい。さらに、キャスティング時にベール支持部材を糸開放姿勢側に倒すと、ベール支持部材に釣糸が絡みやすい状態となる。
【０００５】
そこで、実開平４−１２８６４号公報等に示されるように、ラインローラの設けられた第１ベール支持部材をアーム部の内周側に装着することが行われている。しかし、このような構成においても、ベールを糸開放姿勢側に倒した場合、ラインローラが外周側に突出し、糸絡みを充分に避けることができない。
【０００６】
本発明の目的は、ベール支持部材の先端に糸案内部が設けられたスピニングリールにおいて、キャスティング時の糸絡みを少なくし、かつ回転時のアンバランスを抑えることにある。
【０００７】
本発明の他の目的は、糸絡みを少なくでき、かつリール全体を小型化できるようにすることにある。
【０００８】
【課題を解決するための手段】
発明１に係るスピニングリールは、釣竿に装着されるものであり、リール本体とロータとスプールとを備えている。リール本体は、ハンドルを有し、釣竿に装着可能である。ロータは、リール本体の前部に回転自在に支持され、ハンドルによって回転させられる。スプールは、ロータの前方に配置され、外周に釣糸が巻かれる。そして、前記ロータは、ロータ回転軸を挟むように対向して配置された第１アーム部及び第２アーム部と、第１アーム部の内周側に揺動自在に装着され糸案内部を有する第１ベール支持部材と、第２アーム部に揺動自在に装着され第１ベール支持部材の揺動中心より前方に揺動中心を有する第２ベール支持部材と、第１ベール支持部材から第２ベール支持部材にわたって設けられ糸巻取り姿勢と糸解放姿勢とをとり得るベールとを有している。
【０００９】
また、第１及び第２ベール支持部材の揺動中心を結ぶ揺動軸芯は、回転軸芯から糸解放姿勢のベール側にオフセットされているとともに、第１及び第２アーム部のうちの少なくとも第１アーム部のリール本体側の端部は、揺動軸芯から糸巻取り姿勢のベール側にオフセットされている。さらに、第１及び第２ベール支持部材は共通の揺動軸を有しており、各ベール支持部材の揺動面は揺動軸に対して直交している。
【００１０】
このスピニングリールでは、ハンドルを回転することによってロータが回転させられ、このロータのアーム部先端に装着された糸案内部及びベール等によって案内された釣糸がスプールに巻き付けられる。ここで、糸案内部が設けられた第１ベール支持部材は、第１アーム部の内周側に装着され、しかも第２ベール支持部材の揺動中心よりも後方に揺動中心を有している。
【００１１】
ここでは、ロータ回転時に第１ベール支持部材が釣竿を持つ手に接触しにくくなり、リールを釣竿に近づけることが可能になる。また、第１ベール支持部材の重心に第２ベール支持部材の重心が近づき、軸方向のギャップが小さくなる。このため、回転軸に作用するモーメントが小さくなり、回転時の振動を抑えられる。
【００１２】
また、両ベール支持部材の揺動中心を結ぶ揺動軸は、回転軸芯から糸解放姿勢のベール側にオフセットされているので、ベールに起因する回転時のアンバランスを抑えられる。さらに、少なくとも第１アーム部のリール本体側の端部が、揺動軸芯から糸巻取り姿勢のベール側にオフセットされているので、ベールを糸開放姿勢側に倒した際に第１ベール支持部材が第１アーム部に干渉しにくくなる。また、ベール支持部材及び糸案内部等に起因する回転時のアンバランスを抑えられる。
【００１３】
さらにまた、第１及び第２ベール支持部材は共通の揺動軸を有しており、各ベール支持部材の揺動面は揺動軸に対して直交しているので、ベールを糸開放姿勢側に倒したときに糸案内部等がより内周側に位置することとなり、釣糸が絡みにくくなる。また、揺動軸が回転軸芯に対して傾いているにもかかわらず、ベール支持部材の揺動がスムーズに行える。さらに、リールと釣竿との間の距離を小さくでき、リール全体を小型化できる。
【００１４】
発明２に係るスピニングリールは、発明１に記載のスピニングリールにおいて、前記第２ベール支持部材は第２アーム部の外周側に装着されている。
【００１５】
ここでは、第２ベール支持部材が第２アーム部の外周側に装着されているので、特に糸案内部に起因する回転時のアンバランスを抑えられる。
【００１６】
発明３に係るスピニングリールは、発明１又は２に記載のスピニングリールにおいて、前記第１アーム部及び第２アーム部の外周側にはカバーが装着されている。
【００１７】
ここでは、カバーにより突起等を覆って釣糸の絡み等を防止でき、かつアーム部を保護できる。このため、アーム部が傷つきにくい。
【００１８】
発明４に係るスピニングリールは、発明３に記載のスピニングリールにおいて、前記カバーは表面が前後方向にかつ円周方向に滑らかに連続する形状である。このため釣糸の引っ掛かりを防止できる。
【００１９】
【発明の実施の形態】
〔全体構成及びリール本体の構成〕
図１〜図３に示す本発明の一実施例によるスピニングリールは、ハンドル１を備えたリール本体２と、リール本体２の前部に回転自在に支持されたロータ３と、ロータ３の前部に配置され釣糸を巻き取るスプール４とを備えている。
【００２０】
リール本体２はボディ２ａを有しており、その上部にはスピニングリールを釣竿に取りつけるための取付け部２ｂが形成されている。ボディ２ａの内部には、ロータ３を回転させるためのロータ駆動機構５と、スプール４を回転軸芯Ｘに沿って前後方向に移動させてスプール４に釣糸を均一に巻き取るためのレベルワインド機構６とが設けられている。
【００２１】
ロータ駆動機構５は、ハンドル１が固定された軸１０とともに回転するフェースギア１１と、このフェースギア１１に噛み合うピニオンギア１２とを有している。ピニオンギア１２は筒状に形成されており、その前部１２ａはロータ３の中心部を貫通してスプール４側に延びている。そして、その先端にはねじ部が形成されている。ピニオンギア１２は、その軸方向の中間部と後端部とが、それぞれ軸受１３，１４を介してリール本体２に回転自在に支持されている。
【００２２】
レベルワインド機構６は、スプール４の中心部に固定されたスプール軸２０を前後方向に移動させてスプール４を同方向に移動させるための機構である。レベルワインド機構６は、スプール軸２０の下方に配置された螺軸２１と、螺軸２１に沿って前後方向に移動するスライダー２２と、螺軸２１の先端に固定された中間ギア２３とを有している。螺軸２１は、スプール軸２０と平行に配置されており、ボディ２ａに回転自在に支持されている。また、螺軸２１の外周部には螺旋状の溝２１ａが形成されている。スライダー２２にはスプール軸２０の後端が固定されている。また、中間ギア２３はピニオンギア１２に噛み合っている。
【００２３】
〔スライダーの構造〕
スライダー２２は、図４及び図５に示すように、スライダー本体２５と、スライダー本体２５内に収納された係合部材２６を有している。
【００２４】
スライダー本体２５は、スプール軸２０と平行に配置された２本のガイド軸２８，２９に摺動自在に装着されている。スライダー本体２５は、２本のガイド軸２８，２９によって案内されるので、摺動時の傾きが防止される。このため、スライダー本体２５を、従来のスライダー本体のように螺軸全周を覆うような形状とする必要がない。このため本実施例のスライダー本体２５は、螺軸２１の一側面側にのみ対向するような形状となっており、他側面側への張り出しが少なくなっている。このため、リール本体を小さくすることが可能である。
【００２５】
また、スライダー本体２５には螺軸２１と直交するように横方向の孔２５ａが形成されており、この孔２５ａに係合部材２６が摺動自在に挿入されている。係合部材２６の先端には、螺軸２１の溝２１ａに噛み合う係合部２６ａが形成されている。スライダー本体２５の孔２５ａの一端には、蓋部材２４が固定されている。
【００２６】
〔ロータの構成〕
ロータ３は、円筒部３０と、円筒部３０の側方に互いに対向して設けられた第１アーム部３１及び第２アーム部３２とを有している。円筒部３０と両アーム部３１，３２とは一体成形されている。
【００２７】
円筒部３０の前部には前壁３３が形成されており、前壁３３の中央部にはボス３３ａが形成されている。ボス３３ａの中心部には貫通孔が形成されており、この貫通孔をピニオンギア１２の前部１２ａ及びスプール軸２０が貫通している。前壁３３の前方側にはナット３４が配置されており、このナット３４がピニオンギア１２の先端ねじ部に螺合している。ナット３４の内周部には、スプール軸２０を回転自在に支持する軸受３５が配置されている。
【００２８】
第１アーム部３１の先端の内周側には、第１ベール支持部材４０が揺動自在に取り付けられている。第１ベール支持部材４０の先端には、釣糸をスプール４に案内するためのラインローラ４１が装着されている。また、第２アーム部３２の先端の外周側には、第２ベール支持部材４２が揺動自在に装着されている。この第２ベール支持部材４２は、たとえば他の部分より比重の大きい材質で構成し、第１ベール支持部材４０及びラインローラ４１に起因する回転時のアンバランスを解消するためのバランサとして機能させることも可能である。第１ベール支持部材４０先端のラインローラ４１と第２ベール支持部材４２との間には、ベール４３が設けられている。このように、第１ベール支持部材４０を第１アーム部３１の内周側に装着することにより、第１ベール支持部材４０の回転半径が小さくなり、釣竿を持つ手に当たりにくくなる。したがって、スプールと釣竿とを近づけることができ、全体として小型化が可能となる。さらに、同様の理由により、回転半径が小さくなり、回転時のアンバランスを抑えやすくなる。
【００２９】
また、各アーム部３１，３２の外周側には、カバー４４，４５が取り付けられている。このカバー４４，４５の表面は、前後方向にかつ円周方向に滑らかに連続する形状となっており、このため、釣糸の引っ掛かりを防止できる。
【００３０】
ここで、両ベール支持部材４０，４２は、一本の揺動軸Ｍを中心に揺動自在である。そして、揺動軸Ｍと第１アーム部３１の第１ベール支持部材取り付け面とが交差する点を揺動中心Ｃ１とし、揺動軸Ｍと第２アーム部３２の第２ベール支持部材取り付け面とが交差する点を揺動中心Ｃ２とした場合、揺動中心Ｃ２は揺動中心Ｃ１に比較して前方側に位置している。すなわち、揺動軸Ｍは回転軸芯Ｘに対して傾いている。また、各ベール支持部材４０，４２は、それらの揺動面が揺動軸Ｍに対して直交するように配置されている。
【００３１】
また、図６及び図７に示すように、第１アーム部３１は、リール本体側の後部が回転軸芯Ｘよりも糸巻取り姿勢のベール側に偏位している。そして、軸方向中央部から前方側にかけては、逆側（糸解放姿勢のベール側）に傾斜している。このように、後部が糸巻取り姿勢のベール側に偏位していることによって、図６の一点鎖線で示すように、ベール４３を糸解放姿勢側に倒した際に、ベール４３と第１アーム部３１との干渉が少なくなる。また、第１ベール支持部材４０及びラインローラ等に起因する回転時のアンバランスを抑えることができる。一方、第２アーム部３２は、図７に示すように、全体がほぼ直線状に延びている。さらに、第１及び第２ベール支持部材４０，４２の揺動中心は、回転軸芯Ｘから糸解放姿勢のベール側にＤだけ偏位している。これにより、ベール４３に起因する回転時のアンバランスを抑えられる。
【００３２】
〔逆転防止機構の構成〕
ロータ３の円筒部３０の内部には、スプール４の逆転防止機構５０が配置されている。逆転防止機構５０は、図８及び図９に示すように、リール本体２に固定された枠体５１と、枠体５１内に収納されたローラ型のワンウェイクラッチ５２と、ワンウェイクラッチ５２を作動状態及び非作動状態に切り換える操作機構５３とを有している。
【００３３】
ワンウェイクラッチ５２は、枠体５１に相対回転不能に装着された外輪５５と、ピニオンギア１２の前方筒部外周に固定された内輪５６と、複数のローラ５７と、複数のローラ５７を保持するリテーナ５８とを有している。複数のローラ５７は外輪５５と内輪５６との間に配置され、両輪の間にくい込む作動位置と両輪の間で遊転する非作動位置とをとり得る。リテーナ５８は、ほぼ円筒状の部材であり、枠体５１内に収納され、所定の角度範囲で回転することが可能である。また、リテーナ５８には円周方向に等角度間隔で複数の収納用切欠き５８ａが形成されており、この切欠き５８ａのそれぞれに、ローラ５７が所定の角度範囲で円周方向に移動自在に、すなわち前述の作動位置と非作動位置との間で移動自在に収納されている。なお、ローラ５７が作動位置にあるクラッチオン状態では、外輪５５と内輪５６とは一方向にのみ相対回転が不能であり、ローラ５７が非作動位置にあるクラッチオフ状態では、外輪５５と内輪５６とは相対回転自在である。また、各切欠き５８ａ内には、ローラ５７を作動位置側に付勢する波板状の板ばね５９が配置されている。
【００３４】
操作機構５３は、枠体５１内に配置されたほぼ円板状の操作板６０と、回動部材６１と、回動部材６１を回動させるための操作ロッド６２と、回動部材６１と操作ロッド６２との間に配置された緩衝機構としてのねじりコイルばね６３と、操作ロッド６２の後端に連結された操作レバー６４（図１参照）とを有している。
【００３５】
操作板６０の一部には係止孔６０ａが形成されており、この係止孔６０ａに、回動部材６１の側面に形成された係止用突起６１ａが係止している。また、操作板６０には複数の孔６０ｂが円周方向に等角度間隔で形成されており、これらの孔６０ｂにリテーナ５８の後端面に形成された突起５８ｂが挿入されている。このため、回動部材６１が回動すると、操作板６０を介してリテーナ５８が回動し、ローラ５７を作動位置と非作動位置との間で移動させることが可能である。回動部材６１の後端面に形成された係合部６１ｂと、操作ロッド６２の前端面に形成された係合部６２ａとは係合可能であるが、所定の角度範囲では互いに相対回転が可能である。ねじりコイルばね６３の一端は回動部材に固定され、他端は操作ロッド６２の前端面に固定されている。したがって、操作ロッド６２の操作力は、その回転モーメントがねじりコイルばね６３を介して回動部材６１に伝達される。
【００３６】
〔スプールの構成〕
スプール４は、ロータ３の第１アーム部３１と第２アーム部３２との間に配置されており、スプール軸２０の先端にドラグ機構７０を介して装着されている。スプール４は、外周の釣糸が巻かれる糸巻胴部４ａと、糸巻胴部４ａの後部に一体で形成されたスカート部４ｂと、糸巻胴部４ａの前端に固定されたフランジ板４ｃとを有している。フランジ板４ｃは、ステンレス製の板材で形成されており、ねじによって糸巻胴部４ａに装着されている。このとき、フランジ板４ｃは若干湾曲しており、その湾曲によるばね性を利用して、糸巻胴部４ａの前端とフランジ板４ｃとの間に隙間が形成されないように取り付けられている。このため、釣糸がこれらの間に侵入することはない。
【００３７】
ドラグ機構７０は、スプール４の内部前端面に押し付けられる押し付け部材７１と、ドラグ力を調整するための調整つまみ７２と、押し付け部材７１と調整つまみ７２との間に配置された押圧ばね７３，７４と、押し付け部材７１とスプール４との間に配置された複数のクラッチ板７５とを有している。このような構成では、調整つまみ７２の締め付け量を調整することにより、押し付け部材７１のスプール４に対する押圧力を調整でき、ドラグ力を調整可能である。
【００３８】
〔リールの操作及び動作〕
キャスティング時には、ベール４３を糸開放姿勢側に倒す。これにより、第１及び第２ベール支持部材４０，４２は揺動軸Ｍを中心として同方向に回転する。このとき、第１ベール支持部材４０は第１アーム部３１の内周側に配置され、かつ揺動軸Ｍが回転軸芯Ｘに対して図１に示すように傾いているので、第１ベール支持部材４０及びその先端のラインローラ４１は糸巻取り姿勢時の位置よりもさらに内周側に移動する。このため、キャスティング時に繰り出された釣糸が第１ベール支持部材４０やラインローラ４１に絡みにくくなる。また、揺動軸Ｍは回転軸芯Ｘに対して傾いているが、両ベール支持部材４０，４２は１本の揺動軸Ｍを中心に回転し、かつそれぞれの回転面は揺動軸Ｍに対して垂直である。このため、回転時にはこじることなくスムーズに回転させることができる。
【００３９】
釣糸巻取り時には、ベール４３を糸巻取り姿勢側に倒す。この状態でハンドル１を回転させると、この回転力はハンドル軸及びフェースギア１１を介してピニオンギア１２に伝達される。このピニオンギア１２に伝達された回転力は、ピニオンギア前部１２ａを介してロータ３に伝達される。
【００４０】
一方、ピニオンギア１２に噛み合うギア２３によって螺軸２１が回転し、この螺軸２１の溝２１ａに噛み合うスライダ２２がガイド軸２８，２９に案内されて前後方向に移動する。このため、スプール軸２０及びスプール４が回転軸芯Ｘに沿って前後方向に往復動し、ベール４５及びラインローラ４１によってスプール４に案内された釣糸は、スプール４の外周に前後方向に均一に巻き取られる。
【００４１】
また、スライダ２２は２本のガイド軸２８，２９に案内されて往復動するので、回転したりあるいは傾いたりすることなくスムーズに往復動する。このため、スライダ本体２５は螺軸２１の全周を覆う必要がなく、係合部材２６と逆側のスペースを小さくできる。このため、リール本体２の後方部分については、横方向に突出を少なくできる。
【００４２】
〔ロータ回転時のアンバランスについて〕
ロータ３の回転時には、ベール４３等の部材に起因して回転時のアンバランスが生じやすい。このため本実施例では、ベール支持部材４０，４２、ラインローラ４１及びベール４３によるアンバランスを解消するために、両アーム部３１，３２の後端部を糸巻取り姿勢のベール側に偏位させて配置し、さらに各ベール支持部材４０，４２を、その揺動軸が回転軸芯Ｘに対して糸開放姿勢のベール側に偏位するように配置している。さらに、ラインローラ４１に起因するアンバランスは、第２ベール支持部材４２を第１ベール支持部材４０よりも前方側に配置することにより抑えられる。また、この第２ベール支持部材を他の部材に比較して比重の高い重量物で構成することにより、バランサとして機能させることが可能である。
【００４３】
〔逆転防止機構の操作及び動作〕
キャスティング時等においては、ロータ３が逆転しないように、操作レバー６４によりローラ５７を作動位置に移動させる。すなわち、図１０（ａ）に示すように、操作レバー６４を一方に回動することにより、操作ロッド６２を同方向に回動させる。この力は、操作ロッド６２の係合部６２ａを介して回動部材６１に直接伝達され、さらに操作板６０を介してリテーナ５８に伝達される。これにより、リテーナ５８が回動し、リテーナ５８に保持されたローラ５７が、作動位置に移動可能な状態となる。このような状態でロータ３が正方向（釣糸巻取り方向）に回転すると、ローラ５７は外輪５５と内輪５６との間で遊転する。このため、ロータ３の正方向の回転が妨げられることはない。一方、ロータ３が逆方向（釣糸繰り出し方向）に回転すると、ローラ５７は外輪５５と内輪５６との間にくい込み、両者は相対回転不能な状態となる。ここで、外輪５５は、枠体５１を介してリール本体２に固定されているので、内輪５６の回転、すなわちロータ３の一方向（釣糸が繰り出される方向）への回転が禁止される。
【００４４】
操作レバー６４を前記とは逆方向に回動すると（図１０（ｂ）に示す状態）、前記と同様の動作によってローラ５７が非作動位置に移動させられる。この状態では、ローラ５７は、外輪５５と内輪５６との間にくい込むことはできない。したがって、外輪５５に対して内輪５６が正逆両方向に回転可能となり、ロータ３の釣糸繰り出し方向への回転が可能となる。
【００４５】
ここで、ローラ５７が両輪５５，５６の間にくい込んだ状態では、ローラ５７を両輪５５，５６の間から引き出して非作動位置に移動させるためには大きな力が必要になる。この状態で操作ロッド６２等によって直接ローラ５７を移動させようとすると、操作ロッド６２等が損傷するおそれがある。そこで、この実施例では、操作ロッド６２と回動部材６１との間に緩衝機構としてのねじりコイルばね６３を設けている。この場合には、ローラ５７が作動位置にくい込み、負荷が作用した状態で操作レバー６４が操作されると、操作レバー６４の回動力は一旦ねじりコイルばね６３に蓄えられる（この状態を図１０（ｃ）に示している）。そして、作動位置のローラ５７に作用していた負荷が解除されると、ねじりコイルばね６３に蓄えられていた回動力が回動部材６１等を介してローラ５７に伝達される。
【００４６】
このように、操作機構５３に、緩衝機構としてのねじりコイルばね６３を設けることによって、操作レバー６４、操作ロッド６２等の損傷が避けられる。
【００４７】
また、回動部材６１から操作板６０を介してリテーナ５８を回動させているので、回動部材６１でリテーナ５８を直接回動させる場合に比較して、リテーナ５８の傾きを抑えることができる。
【００４８】
〔他の実施例〕
（ａ）前記実施例では、第２ベール支持部材４２を第２アーム部３２の外周側に配置したが、この第２ベール支持部材４２を第１ベール支持部材４０と同様にアーム部の内周側に配置してもよい。
【００４９】
（ｂ）操作ロッド６２と回動部材６１との間にねじりコイルばね６３を配置したが、他の弾性部材等を配置して緩衝するようにしてもよい。
【００５０】
（ｃ）回動部材６１とリテーナ５８との間の操作板６０は省略してもよい。
【００５１】
（ｄ）前記実施例では、操作ロッド６２と回動部材６１との間に緩衝機構としてのねじりコイルばね６３を設けたが、緩衝機構を設けずに、操作ロッド６２と回動部材６１との間で回動力を直接伝達するようにしてもよい。
【００５２】
また、前記実施例では、逆転防止機構を解除するとき、すなわちオン状態からオフ状態への移行するときにのみ緩衝機構が機能するようにしたが、逆転防止機構をオン状態からオフ状態に移行するとき、及び逆にオフ状態からオン状態に移行するときの両方で機能するようにしてもよい。
【００５３】
【発明の効果】
以上のように発明１に係るスピニングリールでは、糸案内部が設けられた第１ベール支持部材が第１アーム部の内周側に装着され、しかも第２ベール支持部材の揺動中心よりも後方に揺動中心を有しているので、ロータ回転時に第１ベール支持部材が釣竿に接触しにくくなり、リールを釣竿に近づけることが可能になる。また、第１ベール支持部材に作用する遠心力と第２ベール支持部材に作用する遠心力との間の軸方向のギャップが小さくなり、回転軸に作用するモーメントが小さくなる。このため、回転時の振動を抑えられる。
【００５４】
また、両ベール支持部材の揺動軸が糸解放姿勢のベール側にオフセットされているので、ベールに起因する回転時のアンバランスを抑えることができる。さらに、少なくとも第１アーム部のリール本体側の端部が、揺動軸芯から糸巻取り姿勢のベール側にオフセットされているので、ベールを糸開放姿勢側に倒した際に第１ベール支持部材が第１アーム部に干渉しにくくなる。また、ベール支持部材及び糸案内部等に起因する回転時のアンバランスを抑えられる。
【００５５】
さらに、両ベール支持部材は共通の揺動軸を有し、各ベール支持部材の揺動面は揺動軸に対して直交しているので、ベールを糸開放姿勢側に倒したときに糸案内部等がより内周側に位置し、釣糸が絡みにくくなる。また、ベール支持部材をスムーズに揺動させることができる。さらに、リールと釣竿との間の距離を小さくでき、リール全体を小型化できる。
【００５６】
発明２に係るスピニングリールでは、第２ベール支持部材が第２アーム部の外周側に装着されているので、特に糸案内部に起因する回転時のアンバランスを抑えられる。
【００５７】
発明３に係るスピニングリールでは、両アーム部の外周側にカバーが装着されているので、カバーによりアーム部外周の突起等が覆われ、釣糸の絡みを防止できる。
【００５８】
発明４に係るスピニングリールでは、カバーは、表面が前後方向かつ円周方向に滑らかに連続する形状であるので、釣糸の引っ掛かりを防止できる。
【図面の簡単な説明】
【図１】本発明の一実施例によるスピニングリールの断面正面図。
【図２】前記スピニングリールの釣竿取り付け部を示す図。
【図３】前記スピニングリールの断面平面図。
【図４】前記スピニングリールの断面背面図。
【図５】スライダの一部断面構成図。
【図６】ロータの一側面図。
【図７】ロータの他側面図。
【図８】逆転防止機構の断面構成図。
【図９】逆転防止機構の分解斜視図。
【図１０】逆転防止機構の動作説明図。
【符号の説明】
１  ハンドル
２  リール本体
３  ロータ
４  スプール
３１  第１アーム部
３２  第２アーム部
４０  第１ベール支持部材
４１  ラインローラ
４２  第２ベール支持部材
４３  ベール
４４，４５  カバー
【図１】
0003645878.tif 000002
【図２】
0003645878.tif 000003
【図３】
0003645878.tif 000004
【図４】
0003645878.tif 000005
【図５】
0003645878.tif 000006
【図６】
0003645878.tif 000007
【図７】
0003645878.tif 000008
【図８】
0003645878.tif 000009
【図９】
0003645878.tif 000010
【図１０】
0003645878.tif 000011